(57)【要約】  【課題】コストの上昇を抑えて容易に製造でき、さらに意匠的な要望や装置全体厚さの低減にも対応可能な構成を有する画像表示装置を提供する。  【解決手段】画像を表示する表示パネルとしてのＰＤＰ１１と、ＰＤＰ１１の表示面側に配置されたガラス製の前面カバー１２と、前面カバー１２のＰＤＰ１１側の内面およびＰＤＰ１１と反対側の外面の少なくとも何れか一方の面上に配置された機能性フィルム１４と、を備えている。前面カバー１２は、箱状であって、ＰＤＰ１１の表示面に対向する平面部１２ａと、平面部１２ａから連続して平面部１２ａの外周に延び、且つ、ＰＤＰ１１の側面を覆うように設けられた側面部１２ｂとを有している。機能性フィルム１４は、前面カバー１２の平面部１２ａおよび側面部１２ｂを被覆し、且つ、前面カバー１２における平面部１２ａの周端部分および側面部１２ｂに対応する領域に遮光部１３を備えている。【選択図】図１
2010113139.tif 000002
【特許請求の範囲】
【請求項１】
画像を表示する表示パネルと、前記表示パネルの表示面側に配置されたガラス製の前面カバーと、前記前面カバーの前記表示パネル側の内面および前記表示パネルと反対側の外面の少なくとも何れか一方の面上に配置された機能性フィルムと、を備え、
前記前面カバーは、箱状であって、前記表示パネルの前記表示面に対向する平面部と、前記平面部から連続して前記平面部の外周に延び、且つ、前記表示パネルの側面を覆うように設けられた側面部とを有しており、
前記機能性フィルムは、前記前面カバーの前記平面部および前記側面部を被覆し、且つ、前記前面カバーにおける前記平面部の周端部分および前記側面部に対応する領域に遮光部を備えている、画像表示装置。
【請求項２】
前記機能性フィルムは、前記前面カバーの前記外面において前記平面部および前記側面部を被覆し、前記側面部の端部で前記前面カバーの前記外面から前記内面に折り込まれて、さらに前記側面部の内面を被覆している、請求項１に記載の画像表示装置。
【請求項３】
（ｉ）平面部および前記平面部から連続して前記平面部の外周に延びた側面部を有する箱状のガラス製の前面カバーと、枠状の遮光部を備えた機能性フィルムと、を準備する工程と、
（ii）前記前面カバーの前記表示パネル側の内面および前記表示パネルと反対側の外面の少なくとも何れか一方と前記機能性フィルムとが対向し、且つ、前記機能性フィルムの前記遮光部が前記前面カバーの前記平面部の周端部分および前記側面部に対向するように、前記前面カバーと前記機能性フィルムとを位置合わせする工程と、
（iii）前記工程（ii）で位置合わせされた前記前面カバーと前記機能性フィルムとを気密容器内に配置し、前記気密容器内を減圧して、前記前面カバーの被覆箇所を前記機能性フィルムで覆う工程と、
（iv）前記気密容器内を前記機能性フィルム側から加圧し、前記前面カバーと前記機能性フィルムとを密着させて、機能性フィルム付き前面カバーを作製する工程と、
を含む、画像表示装置の製造方法。
【請求項４】
前記機能性フィルムは、前記前面カバーの外面全体と前記前面カバーの前記側面部における内面の少なくとも一部とを被覆可能な形状を有しており、
前記工程（ii）では、前記前面カバーの前記外面と前記機能性フィルムとが対向するように、前記前面カバーと前記機能性フィルムとを位置合わせする、請求項３に記載の画像表示装置の製造方法。
【請求項５】
前記工程（ｉ）において、複数の前記前面カバーと、複数の前記機能性フィルムが互いに連結された帯状フィルムとを準備し、
前記工程（ii）〜（iv）を繰り返して、連続的に、前記機能性フィルム付き前面カバーを作製する、請求項３または４に記載の画像表示装置の製造方法。
【発明の詳細な説明】
【技術分野】
【０００１】
本発明は、画像表示装置とその製造方法とに関する。
【背景技術】
【０００２】
近年、テレビ映像等の画像を表示する画像表示装置の薄型化が進み、画像表示装置においては、従来のＣＲＴ（cathode-ray tube）に代わって、プラズマディスプレイパネル（以下、ＰＤＰと記載する。）や液晶パネル等の平面型の表示パネルを用いたフラットパネルディスプレイ（以下、ＦＰＤと記載する。）が主流となっている。
【０００３】
ＦＤＰの一例として、表示パネルにＰＤＰを用いたプラズマディスプレイについて、その従来の構成例を図５を参照しながら説明する。
【０００４】
従来のプラズマディスプレイ１００は、ＰＤＰ１０６と、ＰＤＰ１０６を支持し且つ放熱板としても機能するシャーシ１０５と、ＰＤＰ１０６の表示面側（前面側）に配置されたガラス製で平面状の前面フィルタ１０２と、前面フィルタ１０２を保持し且つ前面フィルタ１０２の端部を露出させないための前面カバー１０９と、ＰＤＰ１０６の表示面と反対側（背面側）に配置された金属製の背面筐体１０７と、シャーシ１０５の背面側に配置された回路基板１１とを備えている。前面フィルタ１０２の周端部分には黒色の枠状印刷部１０４が設けられている。枠状印刷部１０４は、装置内部の部品が見えないように目隠しとして機能している。また、前面フィルタ１０２の表裏両面には、前面フィルタ１０２に各種機能を持たせるための機能性フィルムが貼合されている。機能性フィルムとして、前面フィルタ１０２の表面にＡＲ（antireflection）フィルム１０１を貼合している。ＡＲフィルム１０１は、反射防止機能に加え、帯電防止機能およびハードコート性を有するフィルムである。また、前面フィルタ１０２の裏面に貼合されるフィルム１０３は、透過率制御機能、近赤外カット機能および色調補正機能等を有する多機能フィルムであり、さらに電磁波シールド機能も併せ持っている。したがって、フィルム１０３の端部に枠状に電極１１０が配置されて、この電極１１０は、電磁波シールド材１０８と電気的に接触している。電磁波シールド材１０８は、アース電位としての放熱板１０５と、金属製の背面カバー１０７とに電気的に接触している。これにより、装置全体が導電層で囲みこまれた状態となっている。
【０００５】
従来のプラズマディスプレイでは、図５に示すように、ＰＤＰ１０６の表示面側に配置される前面フィルタ１０２が平板状ガラスであるため、この平板状ガラスを保持し且つ当該ガラスの端部を表示面側に露出させないために、表示面側から見て中央部が開口した矩形状の枠体である前面カバー１０９が必要であった。そのため、部品点数が多くなることに加え、製造においても、まず前面フィルタ１０２となる平板状ガラスに黒色の枠状印刷部１０４を形成し、さらにＡＲフィルム１０１等の機能性フィルムを貼合した後で、当該平板状ガラスを前面フィルタ１０２として枠体（前面カバー１０９）に組み込む作業が必要となり、製造工程が煩雑となるという問題があった。このような問題は、製品コストの上昇の要因にもなっていた。また、上記従来の構成では、平板状ガラスを保持する枠体を必ず設ける必要があるため、意匠的に特徴を出しづらいため高級感を出すことが比較的困難であり、装置全体の厚さを低減することも困難であるという問題もあった。
【０００６】
なお、特許文献１には、透明基板、電磁波シールド性熱線カットフィルムおよび前記透明基板の周縁部に枠状に設けられた黒色塗装等を一体化した電磁波シールド性光透過窓材等が開示されている。しかし、このような構成を画像表示装置の機能性フィルムに適用した場合でも、部品点数の多さや製造上の煩雑さを十分に解消することはできず、さらに前面筐体が必須の構成であることには変わりがないため、上記従来の問題を解決することは困難であった。
【特許文献１】特開２０００−３４０９９０号公報
【発明の開示】
【発明が解決しようとする課題】
【０００７】
本発明は、上記従来の問題を解決するものであり、コストの上昇を抑えて容易に製造でき、さらに意匠的な要望や装置全体厚さの低減にも対応可能な構成を有する画像表示装置を提供することを課題とする。
【課題を解決するための手段】
【０００８】
上記課題を解決するために、本発明の画像表示装置は、画像を表示する表示パネルと、前記表示パネルの表示面側に配置されたガラス製の前面カバーと、前記前面カバーの前記表示パネル側の内面および前記表示パネルと反対側の外面の少なくとも何れか一方の面上に配置された機能性フィルムと、を備え、前記前面カバーは、箱状であって、前記表示パネルの前記表示面に対向する平面部と、前記平面部から連続して前記平面部の外周に延び、且つ、前記表示パネルの側面を覆うように設けられた側面部とを有しており、前記機能性フィルムは、前記前面カバーの前記平面部および前記側面部を被覆し、且つ、前記前面カバーにおける前記平面部の周端部分および前記側面部に対応する領域に遮光部を備えている。
【０００９】
また、本発明の画像表示装置の製造方法は、
（ｉ）平面部および前記平面部から連続して前記平面部の外周に延びた側面部を有する箱状のガラス製の前面カバーと、枠状の遮光部を備えた機能性フィルムと、を準備する工程と、
（ii）前記前面カバーの前記表示パネル側の内面および前記表示パネルと反対側の外面の少なくとも何れか一方と前記機能性フィルムとが対向し、且つ、前記機能性フィルムの前記遮光部が前記前面カバーの前記平面部の周端部分および前記側面部に対向するように、前記前面カバーと前記機能性フィルムとを位置合わせする工程と、
（iii）前記工程（ii）で位置合わせされた前記前面カバーと前記機能性フィルムとを気密容器内に配置し、前記気密容器内を減圧して、前記前面カバーの被覆箇所を前記機能性フィルムで覆う工程と、
（iv）前記気密容器内を前記機能性フィルム側から加圧し、前記前面カバーと前記機能性フィルムとを密着させて、機能性フィルム付き前面カバーを作製する工程と、
を含んでいる。
【発明の効果】
【００１０】
本発明の画像表示装置は、ガラス製で箱状の前面カバーを用いている。このような形状に加工されたガラス製の前面カバーは、従来の画像表示装置における前面フィルタと当該前面フィルタを保持するための枠体（従来の前面カバー）との機能を併せ持つため、画像表示装置における部品点数の低減、さらには意匠的な要望や装置全体厚さの低減にも対応可能な構成が実現できる。また、遮光部が一体的に設けられている機能性フィルムを前面カバーに貼り合わせることによって、従来と同様の機能を備えた画像表示装置を実現できるため、製造工程が容易となり、コストの上昇も抑えることができる。
【００１１】
本発明の画像表示装置の製造方法によれば、上記のような効果を奏する本発明の画像表示装置を、効率良く容易に製造できる。
【発明を実施するための最良の形態】
【００１２】
以下、本発明の実施の形態を、図面を参照しながら説明する。なお、以下の実施の形態は一例であり、本発明は以下の実施の形態に限定されない。また、以下の実施の形態では、同一の部分については同一の符号を付して重複する説明を省略する場合がある。
【００１３】
（画像表示装置）
まず、本発明の画像表示装置の実施の形態について説明する。
【００１４】
図１は、本実施の形態の画像表示装置１を、鉛直方向中央位置において、ＰＤＰ（表示パネル）１１の表示面に対して垂直に切断した状態を示す断面図である。なお、本明細書において、画像表示装置の鉛直方向とは、画像表示装置の通常の設置状態における鉛直方向を意味する。通常は、ＰＤＰの短辺方向と鉛直方向とが平行となる。また、本明細書では、ＰＤＰの表示面のことを前面、表示面と反対側の面を背面ということがある。
【００１５】
本実施の形態の画像表示装置１は、画像を表示するＰＤＰ（表示パネル）１１と、ＰＤＰ１１を支持するシャーシ１６と、シャーシ１６の背面に配置された回路基板１７と、ＰＤＰ１１の表示面側に配置されたガラス製の前面カバー１２と、ＰＤＰ１１の背面側に配置された金属製の背面カバー１８とを備えている。前面カバー１２のＰＤＰ１１と反対側の面（外面）上には、遮光部１３を含む機能性フィルム１４が配置されている。また、前面カバー１２のＰＤＰ１１側の面（内面）上には、機能性フィルム１５が配置されている。
【００１６】
以下に、画像表示装置１の各構成要素について説明する。
【００１７】
ＰＤＰ１１は、画像を表示する表示パネルである。ＰＤＰ１１の構成は特に限定されず、公知のＰＤＰを用いることができる。
【００１８】
シャーシ１６は、ＰＤＰ１１を支持する部材である。シャーシ１６は、熱伝導率および電気伝導率の高いアルミニウムおよび銅等の金属板によって形成されている。シャーシ１６の最も広い面の大きさは、ＰＤＰ１１の最も広い面とほぼ等しく設計されており、厚みは１．５〜４ｍｍ程度である。また、必要に応じて、補強のための折り曲げ加工あるいは補強リブが設けられていてもよい。シャーシ１６は、熱伝導シート（図示せず）を介して、ＰＤＰ１１を支持している。シャーシ１６の背面（ＰＤＰ１１を支持している面と反対側の面）には、電源回路基板や駆動回路基板等の回路基板１７が取り付けられている。
【００１９】
シャーシ１６は、ＰＤＰ１１や回路基板１７から発生した熱を吸収して、空気中や他の部材に熱を逃がす放熱部材としても機能する。また、シャーシ１６は、ＰＤＰ１１や回路基板１７を支持してこれらの強度を保つ補強部材や、ＰＤＰ１１や回路基板１７等の電気的なグラウンドとしても機能する。
【００２０】
ＰＤＰ１１の表示面側に配置された前面カバー１２は、ガラス板を箱状に成形することによって形成されている。前面カバー１２は、ＰＤＰ１１の表示面に対向する平面部１２ａと、平面部１２ａから連続して平面部１２ａの外周に延び、且つ、ＰＤＰ１１の側面を覆うように設けられた側面部１２ｂとによって形成されている。前面カバー１２は、ＰＤＰ１１の表示面および側面全体を覆うことができればよいため、その大きさは特に限定されない。前面カバー１２に用いられるガラス板の厚さは、曲げ加工の容易さと強度保持の理由から、１〜１０ｍｍが好ましい。
【００２１】
本実施の形態の画像表示装置１では、従来の画像表示装置における前面フィルタと当該前面フィルタを保持するための枠体とを一体化したような箱状の前面カバー１２を用い、この前面カバー１２でＰＤＰ１１の表示面を覆っている。このような構成により、後述の遮光部１３を含む機能性フィルム１４を前面カバー１２に貼合するだけで従来と同様の機能を備えた装置を得ることができ、従来のように平板状ガラスに予め機能性フィルムや遮光部を貼合しておき、さらにこの平板状ガラスを枠体に組み込むという煩雑な作業が不要となる。したがって、製造が容易となり、コストも低減できるという効果が得られる。さらに、画像表示装置１の前面部分は、機能性フィルム１４付きの前面カバー１２が配置された簡単な構成となるため、部品点数の低減、さらには意匠的な要望や装置全体厚さの低減にも対応可能となる。
【００２２】
なお、従来の画像表示装置では、ＰＤＰの表示面を保護する前面筐体として、本実施の形態のような形状のガラス製カバーは用いられていなかった。従来、このような形状のガラス製部品が画像表示装置に適用された例は、ＣＲＴと類似の原理である画像表示装置において、真空中に電子銃ユニットを収容する表示パネルそのものを構成するガラス容器として用いられた例のみであり（実開平５−６６６１号公報）、表示パネルの表示部を保護する筐体として適用されているものはなかった。
【００２３】
前面カバー１２の外面上に配置された機能性フィルム１４は、前面カバー１２の外面において平面部１２ａおよび側面部１２ｂを被覆し、さらに、図２にも示すように、側面部１２ｂの端部で前面カバー１２の外面から内面に折り込まれて（機能性フィルム折り込み部１４ａ）、さらに側面部１２ｂの内面まで被覆している。
【００２４】
機能性フィルム１４は、反射防止機能、帯電防止機能およびハードコート性等を備えた多機能フィルムである。すなわち、機能性フィルム１４は、ベースフィルム上に、反射防止層、帯電防止層およびハードコート層等（全て図示せず）が積層された多層フィルムであり、さらに、前面カバー１２における平面部１２ａの周端部分および側面部１２ｂに対応する領域には遮光部１３が設けられている。遮光部１３は、プラズマディスプレイ内部の電子回路等の内蔵物を隠蔽するために設けられている。この遮光部１３は、機能性フィルム１４において反射防止層が設けられている面と反対側の面に設けられる。機能性フィルム１４には、遮光部１３が設けられている面側に、前面カバー１２と貼り合わせるための粘着層２１（図２参照）が形成される。ベースフィルムには、伸縮性に富む材質のものが用いられる。例えば無延伸のＡ−ＰＥＴ（非晶質ポリエチレンテレフタレート）、易成型ＰＥＴ、アクリル樹脂およびポリカーボネート等を用いることができるが、これに限らず、フィルム貼合温度で適度に軟化し、数％以上伸張するものであれば、他の材料であってもよい。遮光部１３は、例えばアクリル系インキの印刷等によって形成されるが、他の材料、工法であっても構わない。ただし、遮光部１３としては、光線透過率を限りなく０にすることができる膜を形成するのが好ましい。反射防止層等の他の層は、公知の画像表示装置に用いられる公知の機能性フィルムと同様に作製できる。
【００２５】
本実施の形態では、機能性フィルム１４を、前面カバー１２の外面から折り返して前面カバー１２の内面まで回し込んで設けている。そのため、前面カバー１２であるガラス製カバーの端面に鋭利な部分や欠けがあった場合でも、その端面を念入りに研磨して鋭利な箇所を除去したり、さらには硬化性樹脂等をコートした後に硬化させて端面を保護したりするという手法でガラス端面を処理しなくても、製品の安全性を担保できる。さらに、このようなガラス端面処理を省くことができるという点で、製造上のコスト低減にも繋がる。
【００２６】
前面カバー１２の内面上に配置された機能性フィルム１５は、電磁波シールド機能等の機能を備えた多機能フィルムである。すなわち、機能性フィルム１５は、ベースフィルム上に、電磁波シールド層、透過率制御層、近赤外カット層および色調補正層（全て図示せず）等を備えた多機能フィルムである。機能性フィルム１５には、電磁波シールド層として機能する導電メッシュ（図示せず）が設けられており、その端部に枠状の電極１９を備えている。この電極１９は、シールド金具２０と電気的に接触したうえ、アース電位としてのシャーシ１６および金属製の背面カバー１８にも電気的に導通している。これにより、装置全体を導電層で囲み込む構成となっている。
【００２７】
背面カバー１８は、例えば金属板をプレス成形することにより形成される。背面カバー１８は、ＰＤＰ１１の背面および回路基板１７を覆うように配置されて、シャーシ１６に固定される。背面カバー１８は、通風孔（図示せず）を有しており、背面カバー１８の外部と内部とを空気の入れ替えが可能となっている。
【００２８】
本実施の形態の画像表示装置１では、遮光部１３を前面カバー１２の外面側に配置される機能性フィルム１４に設けているが、前面カバー１２の内面側に配置される機能性フィルム１５に遮光部を設けて、当該遮光部が前面カバー１２における平面部１２ａの周端部分および側面部１２ｂに対応する領域に配置されるようにしてもよい。その場合は、本実施の形態の画像表示装置１のように、機能性フィルム１５が前面カバー１２の内面から外面に回り込むような構成とすることも可能である。
【００２９】
（画像表示装置の製造方法）
本発明の画像表示装置の製造方法には、
（ｉ）平面部および前記平面部から連続して前記平面部の外周に延びた側面部を有する箱状のガラス製の前面カバーと、枠状の遮光部を備えた機能性フィルムと、を準備する工程と、
（ii）前記前面カバーの前記表示パネル側の内面および前記表示パネルと反対側の外面の少なくとも何れか一方と前記機能性フィルムとが対向し、且つ、前記機能性フィルムの前記遮光部が前記前面カバーの前記平面部の周端部分および前記側面部に対向するように、前記前面カバーと前記機能性フィルムとを位置合わせする工程と、
（iii）前記工程（ii）で位置合わせされた前記前面カバーと前記機能性フィルムとを気密容器内に配置し、前記気密容器内を減圧して、前記前面カバーの被覆箇所を前記機能性フィルムで覆う工程と、
（iv）前記気密容器内を前記機能性フィルム側から加圧し、前記前面カバーと前記機能性フィルムとを密着させて、機能性フィルム付き前面カバーを作製する工程と、
が含まれる。以下、図１に示した本実施の形態の画像表示装置１を製造する方法を例に挙げて、本発明の製造方法の実施の形態について説明する。
【００３０】
工程（ｉ）において、前面カバーと、遮光部が設けられた機能性フィルムとを準備する。前面カバーは、例えばガラス板を熱プレスによって箱状に成形して作製される。平面部から立ち上げた側面部の長さ（前面カバーの深さ）や立ち上げ角度等の具体的な形状は、収容するＰＤＰの大きさや要求される意匠等に応じて適宜調整できる。機能性フィルムは、ベースフィルムの一方の面上に、反射防止機能を有する塗料および帯電防止機能を有する塗料等、機能性フィルムに備える所望の機能を有する塗料を順に塗布して各種の機能層を形成し、さらにベースフィルムの他方の面上には遮光部となる枠状の黒色膜を印刷し、さらにその上に粘着層を形成することによって、作製できる。この段階では、各種の機能層を完全に硬化させないことが好ましい。例えば、紫外線硬化型の塗料を用いる場合は、この段階では紫外線照射を行わないことが好ましい。前面カバーに貼合する前に各種の機能層を硬化させると、前面カバーに貼合する際に塗膜割れが発生して、各種の機能が得られなくなる場合があるためである。
【００３１】
機能性フィルムの形状は、前面カバーの形状に応じて決定される。本実施の形態では、機能性フィルムを前面カバーの外面から内面に折り返して配置するために（図１参照）、機能性フィルムは、前面カバーの外面全体と前面カバーの側面部における内面の少なくとも一部とを３次元的に被覆可能な形状とされる。
【００３２】
また、工程（ii）〜（iv）を繰り返して、機能性フィルムを前面カバーに連続的に貼合する方法も適用できる。その場合は、工程（ｉ）において、複数の前面カバーと、複数の機能性フィルムが互いに連結された帯状フィルムとを準備する。この場合に準備される帯状フィルムは、図３に示すように、枠状の遮光部１３が設けられた複数の機能性フィルム１４が、遮光部１３の部分で互いに連結した状態となる。
【００３３】
工程（ii）において、ＰＤＰと機能性フィルムとを位置合わせする。このとき、ＰＤＰの外面と機能性フィルムとが対向し、且つ、機能性フィルムの遮光部が前面カバーの平面部の周端部分および側面部に対向するようにする。
【００３４】
工程（iii）において、位置合わせされた状態の前面カバーと機能性フィルムとを気密容器内に配置して、気密容器内を減圧する。このとき、機能性フィルムを加熱により軟化させて、前面カバーの被覆箇所、すなわち本実施の形態では前面カバーの外面を、機能性フィルムで覆う。なお、この段階では機能性フィルムは前面カバーに密着しておらず、単に機能性フィルムが前面カバーの外面にほぼ沿った状態となっている。また、ここで用いる気密容器は、例えば機能性フィルムに覆われた前面カバー側の領域が区画可能な構造となっており、前面カバーを覆う機能性フィルムに対して、前面カバー側の領域と機能性フィルム側の領域とで気圧状態を変化させることが可能となっている。
【００３５】
工程（iv）では、気密容器において、前面カバー側の領域は減圧状態を維持し、一方、機能性フィルム側の領域は大気圧に開放したり圧空を供給したりすることによって、気密容器内を機能性フィルム側から加圧する。これにより、前面カバーと機能性フィルムとを密着させる。
【００３６】
次に、前面カバーに貼合された機能性フィルムに設けられている各機能層を、完全に硬化させる。各機能層の形成に紫外線硬化型の塗料を用いている場合は、この段階で紫外線を照射して各機能層を硬化させるとよい。
【００３７】
３次元被膜工法を利用した装置（フィルム３次元貼合機）を用いて工程（ii）〜（iv）を実施する例を、図４を参照しながら説明する。
【００３８】
図４は、フィルム３次元貼合機４を用いて機能性フィルム１４を前面カバー１２に貼り合わせた状態を示す概略図である。この貼合機４は、芯材（ここでは前面カバー１２）を設置するためのテーブル４１と、下チャンバーボックス４２および上チャンバーボックス４３で構成されるチャンバーボックス（気密容器）と、下チャンバーボックス４２および上チャンバーボックス４３内を真空状態とするための真空タンク４４と、上チャンバーボックス４３内に圧縮空気を供給するための圧縮タンク４５と、ヒータ４６とを備えている。
【００３９】
まず、チャンバーボックスを下チャンバーボックス４２および上チャンバーボックス４３に分割して開放し、テーブル４１に前面カバー１２を設置する。さらに、この前面カバー１２に対して機能性フィルム１４を位置合わせして設置する。次に、上下のチャンバーボックス４２，４３を一体化してチャンバーボックス内を気密状態とする。
【００４０】
真空タンク４３によって、チャンバーボックス内を真空状態とする。次に、ヒータ４６で機能性フィルム１４を加熱して軟化させ、テーブル４１上の前面カバー１２を機能性フィルム１４の位置まで上昇させて、前面カバー１２の被覆領域である外面を機能性フィルムで覆った状態とする。
【００４１】
上チャンバーボックス４３内のみを大気圧に開放し、さらに上チャンバーボックス４３内に圧縮タンク４５から圧縮空気を入れることによって、チャンバーボックス内を機能性フィルム１４側から（上チャンバーボックス４３側から）加圧する。これにより、機能性フィルム１４を、前面カバー１２の外面における平面部および側面部と、内面における側面部とに密着させることができる。
【００４２】
以上の方法によれば、本実施の形態の画像表示装置のように、機能性フィルムを前面カバーの外面から折り返して前面カバーの内面まで回し込んで配置する場合であっても、容易に機能性フィルムを前面カバーに貼り合わせることができる。
【００４３】
また、機能性フィルム１４として、図３に示したような帯状フィルムを用いる場合は、貼合機４に機能性フィルム１４を連続的に供給できるので、効率良く機能性フィルム付き前面カバーを作製できる。
【実施例】
【００４４】
本発明のより具体的な実施の形態について、実施例を用いてさらに詳細に説明する。本実施例では、図１に示した画像表示装置１と同様の構成を有する画像表示装置を作製した。以下、図１を参照しながら本実施例の画像表示装置を説明する。
【００４５】
５０インチサイズのプラズマテレビ用として、横１２７０ｍｍ、縦７４５ｍｍ、厚さ３ｍｍのソーダガラスからなるガラス板を熱プレスにより箱状に成形した。立ち上げた垂直面（側面部に相当）の深さは２０ｍｍとなった。これを前面カバー１２として用い、その内側の平面部に機能性フィルム１５を貼合した。
【００４６】
機能性フィルム１５は、厚さ１２５μｍのＰＥＴフィルムの一方の面に粘着層３０μｍを設け、その反対側の面に導電メッシュを貼合したものを、前記粘着層によって厚さ７５μｍの延伸ＰＥＴフィルムに貼付することによって作製されたものである。なお、この７５μｍ延伸ＰＥＴフィルムには、前記粘着層との接合に用いられる面と反対側の面に、予め透過率制御機能、近赤外カット機能、色調補正機能を持った塗料がそれぞれ厚さ約３５μｍで均一に塗布されており、さらにその上には３０μｍの粘着層が設けられていた。
【００４７】
この機能性フィルム１５をゴムロールを用いて押圧し、前面カバー１２の所定の位置に貼合した。なお、機能性フィルム１５の端部に、電極１９を枠状に形成した。
【００４８】
次に、前面カバー１２の外面に、遮光部１３を含む機能性フィルム１４を３次元的に貼合した。この機能性フィルム１４は、伸縮性に富む１２５μｍ厚の無延伸のＡ−ＰＥＴからなるベースフィルムの一方の面に、紫外線硬化型の塗料を用いて反射防止層、帯電防止層およびハードコート層を設け、さらに、ベースフィルムの反射防止層が設けられていない面上に着色の印刷を施して枠状の遮光部１３を形成し、その上に粘着層を設けた。反射防止層には、波長５５０ｎｍにおいて反射率０．５％の性能のものを用いた。
【００４９】
機能性フィルム１４を、図４に示した貼合機４と同様の構成を有する布施真空株式会社製のフィルム３次元貼合機を用いて、上述した手順で前面カバーの外面および内面の一部に貼合し、接着させた。加工温度は約１２０℃であった。
【００５０】
次に、機能性フィルム１４の外部から紫外線を照射して、反射防止層、帯電防止層およびハードコート層を一括して硬化させた。紫外線照射には、メタルハライドランプ１２０Ｗ／ｃｍ１灯を用いた。照射距離１０ｃｍとし、積算光量２５０ｍＪ／ｃｍ2とした。ハードコート層の硬化により、機能性フィルム１４の表面の硬度は鉛筆硬度で３Ｈとなった。
【００５１】
機能性フィルム１４は、前面カバー１２の外面において平面部１２ａおよび側面部１２ｂを被覆し、さらに、側面部１２ｂの端部で前面カバー１２の外面から内面に折り込まれて（機能性フィルム折り込み部１４ａ）、さらに側面部１２ｂの内面まで被覆している。このような構成により、機能性フィルム１４が前面カバー１２に強固に接着し、外力によって容易に剥離することを防止できるとともに、前面カバー１２の端面の凹凸を緩和することができた。また、前面カバー１２の端面からの割れも抑制できた。さらに、前面カバー１２の端面に鋭利な部分があっても、機能性フィルム１４により被覆されているので、安全性を確保することができた。したがって、前面カバー１２を構成するガラス端面の研磨を行う必要がなく、従来の構成よりもコストを大幅に削減できることがわかった。
【００５２】
この後、電極１９とシールド金具２０を接触させて導通をとったうえで、内部にＰＤＰ１１を収容して前面カバー１２と背面カバー１８と接合して、画像表示装置とした。機能性フィルム１４に設けられた遮光部１３により、内部の電子回路等の内蔵物を隠蔽できることも確認された。
【００５３】
（実施の形態の特徴）
実施の形態の特徴を以下に列挙する。なお、実施の形態の特徴は以下に限定されるものではない。
【００５４】
（１）
本実施の形態における画像表示装置は、
画像を表示する表示パネルと、前記表示パネルの表示面側に配置されたガラス製の前面カバーと、前記前面カバーの前記表示パネル側の内面および前記表示パネルと反対側の外面の少なくとも何れか一方の面上に配置された機能性フィルムと、を備え、
前記前面カバーは、箱状であって、前記表示パネルの前記表示面に対向する平面部と、前記平面部から連続して前記平面部の外周に延び、且つ、前記表示パネルの側面を覆うように設けられた側面部とを有しており、
前記機能性フィルムは、前記前面カバーの前記平面部および前記側面部を被覆し、且つ、前記前面カバーにおける前記平面部の周端部分および前記側面部に対応する領域に遮光部を備えている。
【００５５】
（２）
前記機能性フィルムは、前記前面カバーの前記外面において前記平面部および前記側面部を被覆し、前記側面部の端部で前記前面カバーの前記外面から前記内面に折り込まれて、さらに前記側面部の内面を被覆している。
【００５６】
（３）
本実施の形態の画像表示装置の製造方法は、
（ｉ）平面部および前記平面部から連続して前記平面部の外周に延びた側面部を有する箱状のガラス製の前面カバーと、枠状の遮光部を備えた機能性フィルムと、を準備する工程と、
（ii）前記前面カバーの前記表示パネル側の内面および前記表示パネルと反対側の外面の少なくとも何れか一方と前記機能性フィルムとが対向し、且つ、前記機能性フィルムの前記遮光部が前記前面カバーの前記平面部の周端部分および前記側面部に対向するように、前記前面カバーと前記機能性フィルムとを位置合わせする工程と、
（iii）前記工程（ii）で位置合わせされた前記前面カバーと前記機能性フィルムとを気密容器内に配置し、前記気密容器内を減圧して、前記前面カバーの被覆箇所を前記機能性フィルムで覆う工程と、
（iv）前記気密容器内を前記機能性フィルム側から加圧し、前記前面カバーと前記機能性フィルムとを密着させて、機能性フィルム付き前面カバーを作製する工程と、
を含んでいる。
【００５７】
（４）
本実施の形態の製造方法では、
前記機能性フィルムは、前記前面カバーの外面全体と前記前面カバーの前記側面部における内面の少なくとも一部とを被覆可能な形状を有しており、
前記工程（ii）では、前記前面カバーの前記外面と前記機能性フィルムとが対向するように、前記前面カバーと前記機能性フィルムとを位置合わせする。
【００５８】
（５）
本実施の形態の製造方法では、
前記工程（ｉ）において、複数の前記前面カバーと、複数の前記機能性フィルムが互いに連結された帯状フィルムとを準備し、
前記工程（ii）〜（iv）を繰り返して、連続的に、前記機能性フィルム付き前面カバーを作製する。
【産業上の利用可能性】
【００５９】
本発明にかかる画像表示装置は、前面カバーをコストの上昇を抑えて容易に製造でき、さらに装置に対する意匠的な要望や装置全体厚さの低減にも対応可能な構成を有するので、意匠性が要求される画像表示装置や、薄型化された画像表示装置や、製造コストの低減が要求される画像表示装置等、あらゆる画像表示装置に好適に適用できる。
【図面の簡単な説明】
【００６０】
【図１】本発明の画像表示装置の実施の形態を示す断面図である。
【図２】図１に示す画像表示装置の前面カバーの端部を示す断面図である。
【図３】機能性フィルムが複数連結された帯状フィルムの平面図である。
【図４】本発明の画像表示装置の製造方法に用いられるフィルム３次元貼合機の概略図である。
【図５】従来の画像表示装置の断面図である。
【符号の説明】
【００６１】
１  画像表示装置
１１  ＰＤＰ（表示パネル）
１２  前面カバー
１３  遮光部
１４  機能性フィルム
１５  機能性フィルム
１６  シャーシ
１７  回路基板
１８  背面カバー
１９  電極
２０  シールド金具
２１  粘着層
４  フィルム３次元貼合機
４１  テーブル
４２  下チャンバーボックス
４３  上チャンバーボックス
４４  真空タンク
４５  圧縮タンク
４６  ヒータ
【図１】
2010113139.tif 000003
【図２】
2010113139.tif 000004
【図３】
2010113139.tif 000005
【図４】
2010113139.tif 000006
【図５】
2010113139.tif 000007